(57)【要約】【課題】  着信時にボタン電話機に対して電話応答する者が当該ボタン電話機の近傍にいないときに、前記電話応答するものが居るボタン電話機を探索して着信をこのボタン電話機に転送する。【解決手段】  不在転送機能を備えたボタン電話主装置１と、ボタン電話機２からなるボタン電話装置であって、ボタン電話機２が、ＲＦＩＤタグ３１からＲＦＩＤ情報を読み取るＲＦＩＤ読取手段と読み取ったＲＦＩＤ情報をボタン電話主装置に送るＲＦＩＤ情報送信手段とを備え、ボタン電話主装置１が、ボタン電話機２からのＲＦＩＤ情報を受信するＲＦＩＤ情報受信手段と受信した情報からＲＦＩＤタグがボタン電話機のＲＦＩＤ通信領域内に有あるか無かを識別するＲＦＩＤ存在認識手段と識別した情報に基づいて不在転送機能設定をオン又はオフにする不在転送手段とを備え、着信時にＲＦＩＤタグ３１が存在するボタン電話機２を検索し、このボタン電話機２に着信を転送する。【選択図】      図４
2006074181.tif 000002
【特許請求の範囲】
【請求項１】
不在転送機能を備えたボタン電話主装置と、ボタン電話機からなるボタン電話装置であって、
ボタン電話機が、ＲＦＩＤタグからＲＦＩＤ情報を読み取るＲＦＩＤ読取手段と、読み取ったＲＦＩＤ情報をボタン電話主装置に送るＲＦＩＤ情報送信手段とを備え、
ボタン電話主装置が、ボタン電話機からのＲＦＩＤ情報を受信するＲＦＩＤ情報受信手段と、受信した情報からＲＦＩＤタグがボタン電話機のＲＦＩＤ通信領域内に有あるか無かを識別するＲＦＩＤ存在認識手段と、識別した情報に基づいて不在転送機能設定をオン又はオフにする不在転送手段と、
を備えたことを特徴とするボタン電話装置。
【請求項２】
請求項１記載のボタン電話装置において、ＲＦＩＤタグにボタン電話機を使用する者を特定するＩＤが書き込まれていることを特徴とするボタン電話装置。
【請求項３】
請求項１記載のボタン電話装置において、ボタン電話主装置に、ボタン電話機とその電話応答者を特定するＩＤを予め記憶しておき、ボタン電話機から受信したＲＦＩＤ情報に基づいてＲＦＩＤタグが当該ボタン電話機のＲＦＩＤエリア内に有るか無いかを識別して不在転送機能設定をオン又はオフにする
ことを特徴とするボタン電話装置。
【請求項４】
請求項１記載のボタン電話装置において、ボタン電話主装置は、各ボタン電話機からのＲＦＩＤ情報に基づいてＲＦＩＤタグの現在の所在を検出して、本来のボタン電話機でなく、ＲＦＩＤタグの現在の所在を検出したボタン電話機に着信させる
ことを特徴とするボタン電話装置。
【請求項５】
請求項１記載のボタン電話装置において、転送先の電話機は、同一のボタン電話装置内および／またはネットワークで接続された別のボタン電話装置内のボタン電話機である
ことを特徴とするボタン電話装置。
【請求項６】
ボタン電話機からのＲＦＩＤ情報を受信するＲＦＩＤ情報受信手段と受信した情報からＲＦＩＤタグがボタン電話機のＲＦＩＤ通信領域内に有あるか無かを識別するＲＦＩＤ存在認識手段と識別した情報に基づいて不在転送機能設定をオン又はオフにする不在転送手段と不在転送機能を備えたボタン電話主装置と、ＲＦＩＤタグからＲＦＩＤ情報を読み取るＲＦＩＤ読取手段と読み取ったＲＦＩＤ情報をボタン電話主装置に送るＲＦＩＤ情報送信手段を備えたボタン電話機からなるボタン電話装置における着信時の不在転送方法であって、
着信時に、
ボタン電話主装置がボタン電話機に対してＲＦＩＤ通信可能なエリア内のＲＦＩＤタグの存在の報告を要求し、
ボタン電話機が自己のＲＦＩＤ通信可能なエリア内のＲＦＩＤタグの存在を検索してＲＦＩＤ情報をボタン電話主装置に報告し、
ボタン電話主装置が、ボタン電話機からのＲＦＩＤ情報に基づいて着信に応答するＲＦＩＤタグが存在するボタン電話機の場所を判定し、ＲＦＩＤタグが存在するボタン電話機に着信を転送する
ことを特徴とするボタン電話装置における着信時の不在転送方法。
【発明の詳細な説明】
【技術分野】
【０００１】
本発明は、ボタン電話装置に関し、特にボタン電話装置のボタン電話機の付近に電話応対者が居ない場合に、そのボタン電話機への着信を自動的に別の電話機に不在転送するボタン電話装置に関する。
【背景技術】
【０００２】
従来からボタン電話装置においては、電話応対者が不在時には予めボタン電話機の不在ボタンを押しておき、着信があったときに予め設定しておいた別の電話機に転送する不在転送機能が公知である。
【０００３】
また、この不在ボタン操作を自動化する手段として、センサ等を利用して検出して、人が居ない場合には自動的に不在転送をオンにし、予め決めた転送手段で不在転送するものがある（例えば、特許文献１参照）。
【０００４】
【特許文献１】特開平７−２４０７９９号公報
【発明の開示】
【発明が解決しようとする課題】
【０００５】
上記、背景技術では、センサ等による人の検出においては、電話応対者以外の人でも検出されると不在と判定されず、絶えず人の出入りがあるような場所においては機能しないと言う問題があった。また、転送先等を予め決めておくため、着信時に本人がいる場所に確実に転送されないと言う問題があった。
【０００６】
本発明は、上記問題を解決するもので、ボタン電話主装置とボタン電話機からなるボタン電話装置において、着信時にボタン電話機に対して電話応答する者が当該ボタン電話機の近傍にいないときに、前記電話応答するものが居るボタン電話機を探索して着信をこのボタン電話機に転送することを目的とする。
【課題を解決するための手段】
【０００７】
上記課題を解決するために本発明は、ボタン電話機を使用する人がＲＦＩＤタグを付加した物（例えば、社員証、名札、携帯電話など）を携帯し、ボタン電話装置のボタン電話機等の端末にＲＦＩＤ（Ｒａｉｄｉｏ  Ｆｒｅｑｕｅｎｃｙ  ＩＤ）情報を読み取るＲＦＩＤ読取手段と、読み取ったＲＦＩＤ情報を主装置に送るＲＦＩＤ情報送信手段とを備え、ボタン電話装置のボタン電話主装置にはボタン電話機からのＲＦＩＤ情報を受信するＲＦＩＤ情報受信手段と、受信した情報から、ＲＦＩＤタグを付加した物の有無を識別するＲＦＩＤ存在認識手段と、識別した情報に基づき不在転送機能設定をオン又はオフにする不在転送手段とを備えたことを特徴とする。
【０００８】
上記ＲＦＩＤタグには、電話応答者本人を特定するＩＤが書かれており、ボタン電話装置のボタン電話主装置にボタン電話機とその電話応答者を特定するデータを予め記憶しておき、その電話応対者が不在か否かを識別して不在転送機能設定をオン又はオフにすることを特徴とする。また、対象の電話応対者は１人でも複数でも良く、予め登録しておくことにより機能する。
【０００９】
上記不在転送機能において、ボタン電話主装置は、電話応答者の持つＲＦＩＤの現在の所在を検出して、電話応答者が対応する本来のボタン電話機でなく、電話応答者の現在の所在を検出したボタン電話機に着信させることを特徴とする。
【００１０】
上記不在転送において、転送先の電話機は、同一のボタン電話装置内及びネットワークで接続された別のボタン電話装置のボタン電話機でも可能であることを特徴とする。
【００１１】
すなわち、本発明は、不在転送機能を備えたボタン電話主装置と、ボタン電話機からなるボタン電話装置であって、ボタン電話機が、ＲＦＩＤタグからＲＦＩＤ情報を読み取るＲＦＩＤ読取手段と、読み取ったＲＦＩＤ情報をボタン電話主装置に送るＲＦＩＤ情報送信手段とを備え、ボタン電話主装置が、ボタン電話機からのＲＦＩＤ情報を受信するＲＦＩＤ情報受信手段と、受信した情報からＲＦＩＤタグがボタン電話機のＲＦＩＤ通信領域内に有あるか無かを識別するＲＦＩＤ存在認識手段と、識別した情報に基づいて不在転送機能設定をオン又はオフにする不在転送手段と、を備えた。
【００１２】
本発明は、上記ボタン電話装置において、ＲＦＩＤタグにボタン電話機を使用する者を特定するＩＤが書き込まれており、ボタン電話主装置に、ボタン電話機とその電話応答者を特定するＩＤを予め記憶しておき、ボタン電話機から受信したＲＦＩＤ情報に基づいてＲＦＩＤタグが当該ボタン電話機のＲＦＩＤエリア内に有るか無いかを識別して不在転送機能設定をオン又はオフにする。
【００１３】
さらに、本発明は、上記ボタン電話装置において、ボタン電話主装置は、各ボタン電話機からのＲＦＩＤ情報に基づいてＲＦＩＤタグの現在の所在を検出して、本来のボタン電話機でなく、ＲＦＩＤタグの現在の所在を検出したボタン電話機に着信させる。さらに本発明は、上記ボタン電話装置において、転送先の電話機としては、同一のボタン電話装置内および／またはネットワークで接続された別のボタン電話装置内のボタン電話機とする。
【００１４】
本発明は、ボタン電話機からのＲＦＩＤ情報を受信するＲＦＩＤ情報受信手段と受信した情報からＲＦＩＤタグがボタン電話機のＲＦＩＤ通信領域内に有あるか無かを識別するＲＦＩＤ存在認識手段と識別した情報に基づいて不在転送機能設定をオン又はオフにする不在転送手段と不在転送機能を備えたボタン電話主装置と、ＲＦＩＤタグからＲＦＩＤ情報を読み取るＲＦＩＤ読取手段と読み取ったＲＦＩＤ情報をボタン電話主装置に送るＲＦＩＤ情報送信手段を備えたボタン電話機からなるボタン電話装置における着信時の不在転送方法であって、着信時に、ボタン電話主装置がボタン電話機に対してＲＦＩＤ通信可能なエリア内のＲＦＩＤタグの存在の報告を要求し、ボタン電話機が自己のＲＦＩＤ通信可能なエリア内のＲＦＩＤタグの存在を検索してＲＦＩＤ情報をボタン電話主装置に報告し、ボタン電話主装置が、ボタン電話機からのＲＦＩＤ情報に基づいて着信に応答するＲＦＩＤタグが存在するボタン電話機の場所を判定し、ＲＦＩＤタグが存在するボタン電話機に着信を転送するようにした。
【発明の効果】
【００１５】
本発明は、ボタン電話装置の電話応答者が不在であることを確実に判定して、不在中に不在転送機能が働かないことを回避することができるので、重要な用件を取り逃がすことがなくなる。
【００１６】
着信に対する電話応答者の本人確認が確実にできることから、電話応答者以外が電話機の近くにいる場合にも不在転送機能をオンに設定でき、誤って応答者以外が電話に応答してしまうことを防ぐことができる。
【００１７】
着信に対する電話応答者の本人確認が確実にできることから、着信に対する不在転送機能を外線毎の設定、電話機毎の設定、発信者番号毎の設定のようにきめ細かく不在を検出することができる。
【００１８】
着信に対する電話応答者の本人確認が確実にできることから、電話応答者の不在先を把握することができ、確実に不在先に不在転送することができる。
【００１９】
不在者の不在先を把握できることにより、人の位置確認を行うこともできる。
【発明を実施するための最良の形態】
【００２０】
以下、本発明の実施例を添付図面に基づいて詳細に説明する。図１を用いて、本発明の不在転送の全体構成の概略を説明する。図１において、ボタン電話装置は、通信網６に接続されるとともに複数のボタン電話機２−１，２−２に接続されるボタン電話主装置１と、複数のボタン電話機２−１，２−２とから構成される。発信側電話機７からの着信があった場合に、通常は主装置１の中央制御部が着信を検出してボタン電話機２−１を着信させるが、応対者（人）５がボタン電話機２−１のＲＦＩＤエリアの外に移動し、ボタン電話機２−２のＲＦＩＤエリア内に居る場合には、ボタン電話機２−２を着信させる。
【００２１】
図２を用いて、本発明を適用するボタン電話装置のボタン電話主装置及びボタン電話機の構成を説明する。また、図３は、ＲＦＩＤタグ３１を付加した社員証３の外観例及び構成の概略を説明する図である。
【００２２】
ボタン電話装置は、１以上の外線および複数の内線を収容するボタン電話主装置１と、該ボタン電話主装置１に接続された複数のボタン電話機２−１〜２−ｎから構成される。
【００２３】
ボタン電話主装置１は、中央制御部１１と、通話路スイッチ１２と、１以上の外線回路１３−１〜１３−ｎと、留守番回路１４と、複数の内線回路１５−１〜１５−ｎと、記憶部１６とを有して構成される。
【００２４】
中央制御部１１は、ボタン電話主装置１の各回路からの入力情報（ボタン電話機２からの情報も含む）に対する解析や判断、記憶部１６に対する情報の入出力、各回路の制御、電話応答者の存在位置を認識する処理、着信の転送処理等を行う手段である。
【００２５】
通話路スイッチ１２は、ボタン電話主装置１内の交換処理（外線と内線の接続、留守番回路の内線・外線への接続、他）を行う手段である。
【００２６】
外線回路１３−１〜１３−ｎは、外線に接続されるインタフェース回路である。ここで言う外線は、一般公衆回線、ＩＰ電話事業者の回線、専用線、私設線、携帯等の無線使用回線（無線／有線変換アダプタ使用）、等も含まれる。
【００２７】
留守番回路１４は、外線回路１３−１〜１３−ｎからの音声を録音したり、録音内容を通話路スイッチ１２経由でボタン電話機２へ送出する回路である。
【００２８】
内線回路１５−１〜１５−ｎは、ボタン電話機２−１〜２−ｎと音声データ、制御データの通信を行うためのインタフェース回路である。
【００２９】
記憶部１６は、通常の記憶部としての働きの他に、不在転送の転送先決定用のＩＤ情報テーブルが記憶される。
【００３０】
また、ボタン電話機２は、制御部２１と、データ送受信回路２２と、音声処理部２３と、送受話器２４と、スピーカ２５と、入力回路２６と、表示回路２７と、ＲＦＩＤリーダー／ライター２８を有して構成される。
【００３１】
制御部２１は、ボタン電話機２内の各回路からの入力情報に対する解析や判断、各回路の制御を行う。
【００３２】
データ送受信回路２２は、内線回路１５−１〜１５−ｎを介してボタン電話主装置１と音声データ、制御データの通信を行うためのインタフェース回路である。
【００３３】
音声処理部２３は、音声のデジタル／アナログ変換、アナログ／デジタル変換と、ボタン電話機２内の送受話器２４やスピーカ２５等との通話路切替えおよび音量を制御する手段である。
【００３４】
送受話器２４は、一般的な通話時の送話、受話を行うためのハンドセットである。
【００３５】
スピーカ２５は、着信音の送出や、スピーカによる拡声受話に使用する手段である。
【００３６】
入力回路２６は、ダイヤルキーや機能キーなどの各種情報入力手段である。
【００３７】
表示回路２７は、電話番号、通話時間等を表示するＬＣＤなどを用いて構成される表示手段を含みこの表示手段を駆動する手段である。
【００３８】
ＲＦＩＤリーダー／ライター２８は、ＲＦ信号を送出して社員証３等に付加されたＲＦＩＤタグ３１に電源を供給するとともに、ＲＦＩＤタグ３１と各種情報の送受信を行う手段である。
【００３９】
図３を用いて、ＲＦＩＤタグを付加した社員証３の一例を説明する。社員証３の内部にＲＦＩＤタグ３１が付加され、ＲＦＩＤタグ３１にはＩＤ情報の記憶部３２がある。
【００４０】
図３に示した社員証は、ＲＦＩＤタグを付加した物の一例であり、ＲＦＩＤタグを付加する物としては、社員証の他に、名札、携帯電話等の電話応答者が普段携帯する物でＲＦＩＤタグを付加できるものであれば同様の動作が可能である。
【００４１】
本発明の実施例の動作を図２〜図６を用いて、ボタン電話機Ａ２−１の着信に対する応対者がＲＦＩＤタグ３−１を持っている場合で説明する。
外線からの着信があり（Ｓ１０１）、ボタン電話機Ａ２−１を着信させる場合、ボタン電話装置のボタン電話主装置１は全ボタン電話機２に対してＩＤ要求を送信する（Ｓ１０２、Ｓ１０３）。
【００４２】
この場合、予めシステム一括又はボタン電話機毎に本実施例の不在転送機能を有効とするか否かを設定しておくことにより、否の設定の場合には本実施例の不在転送機能を無効とすることもできる。
【００４３】
ＩＤ要求を受信（Ｓ２０１、Ｓ３０１）したボタン電話機２は、ＲＦＩＤリーダー／ライター２８からＲＦ信号を送出する（Ｓ２０２、Ｓ３０２）。ＲＦＩＤエリア内にあるＲＦＩＤタグ３１はＲＦ信号によりパワーが供給され動作を開始する。
【００４４】
このＲＦ信号にはコマンドが含まれ、ＲＦＩＤタグ３１はそのコマンドを受け取ると、記憶部３２に記憶されたＩＤを送信し、ボタン電話機２のＲＦＩＤリーダー／ライター２８はＲＦＩＤタグから送信されたＩＤを受信する（Ｓ２０３、Ｓ３０３）。
【００４５】
ボタン電話機２は、ＲＦＩＤタグ３１からのデータ受信を一定時間監視して（Ｓ２０４、Ｓ３０４）、その時間内に受信したＩＤ情報をボタン電話主装置に送信する（Ｓ２０５、Ｓ３０５）。
【００４６】
ボタン電話主装置１は、ボタン電話機２から受信したＩＤ情報を記憶部１６に記憶する（Ｓ１０４）。この場合、記憶されるデータは、図５に示すように、各ＩＤに対応して本来の着信電話機、優先着信電話機、電話機毎の存在／不在の状態が記述される。
【００４７】
ボタン電話主装置１は、当該着信に対しての応答者のＩＤ情報が本来の電話機のエリア（本実施例では図３の位置Ａ）にあるかを判定し（Ｓ１０５）、応答者のＩＤ情報が本来の電話機のエリアにある（Ｙｅｓ）場合には、対応するボタン電話機Ａ２−１を着信させる（Ｓ１０６）。
【００４８】
ステップ１０５の判定の結果、当該の着信に対しての応答者のＩＤ情報が本来の電話機のエリアにない（本実施例では図３の位置Ｂ：Ｎｏ）場合、不在転送が有効であるか否かを判定する（Ｓ１０７）。ステップＳ１０７の判定で不在転送機能が有効になっている（Ｙｅｓ）場合には、別のエリア（例えばボタン電話機Ｂ２−２のＲＦＩＤエリア）にのみ有るか否かを判定し（Ｓ１０９）、そのエリアのみにＲＦＩＤタグがある場合は、そのエリアのボタン電話機Ｂ２−２を着信させる（Ｓ１１０）。ステップＳ１０７の判定で不在転送機能が無効になっている（Ｎｏ）場合には、本来の着信ボタン電話機Ａ２−１を着信させる（Ｓ１０８）。
【００４９】
ステップ１０９の判定で、そのエリアのみに存在しない場合（Ｎｏ）には、複数のボタン電話機のエリアで存在となるか否かを判定する（Ｓ１１１）。この判定の結果、複数のボタン電話機のエリアで存在となった（Ｙｅｓ）場合には、ＲＦＩＤタグがエリアの重複する場所に存在する（図３の位置Ｃ）ことになる。この場合には、予め決めた優先情報に基づいて着信電話機を決定して、その電話機に対して着信要求を行う（Ｓ１１２）。図５の例では、ボタン電話機Ａ２−１に着信する。
【００５０】
ステップＳ１１１の判定の結果、ＲＦＩＤタグが全てのボタン電話機にて不在となった（図３において位置Ｄ：Ｎｏ）場合には、システム内に指定のＲＦＩＤタグが存在しないと判定して、例えば、予め決めた別の電話機に着信させたり、留守番電話機で応答したり、と言った留守の場合の各種機能を動作させることができる（Ｓ１１３）。
【００５１】
例えば、本社と支店等頻繁に人の移動がある場合は、ボタン電話装置を双方に設置し、双方のボタン電話主装置間を接続することにより、別のボタン電話主装置に接続されたボタン電話機にもＩＤ要求を送信することもできる。ボタン電話主装置間の接続方法は、共通線信号方式等を利用したシステム間の接続方法が公知であり、これを用いることができる。
【００５２】
ＲＦＩＤタグ３１には、電池を持つものと、電池を持たずにＲＦＩＤリーダー／ライターからのＲＦ信号によりパワーを得るものがあり、本実施例では電池を持たない例を記述しているが、何れの方式でも同様に本発明を実施することが可能である。
【００５３】
本実施例は、ボタン電話装置で説明しているが、構内交換機やＩＰセントレクス等の交換装置においても同様に本発明を実現することが可能である。
【図面の簡単な説明】
【００５４】
【図１】本発明に係わる全体を説明する概略図。
【図２】本発明の実施例におけるボタン電話装置の主装置及びボタン電話機の構成概略図。
【図３】本発明の実施例におけるＲＦＩＤタグの外観例（社員証）及び構成概略図。
【図４】本発明の実施例における概略の動作イメージ図。
【図５】本発明の不在転送先決定用の記憶情報テーブル。
【図６】本発明の実施例における動作フローチャート。
【符号の説明】
【００５５】
１：ボタン電話主装置、２：ボタン電話機、３：社員証、５：電話応答者、６：通信網、７：発信電話機、１１：中央制御部、１２：通話路スイッチ、１３：外線回路、１４：留守番回路、１５：内線回路、１６：記憶部、２１：制御部、２２：データ送受信回路、２３：音声処理部、１４：送受話器、２５：スピーカ、２６：入力回路、２７：表示回路、２８：ＲＦＩＤリーダー／ライター、３１：ＲＦＩＤタグ、３２：記憶部。
【図１】
2006074181.tif 000003
【図２】
2006074181.tif 000004
【図３】
2006074181.tif 000005
【図４】
2006074181.tif 000006
【図５】
2006074181.tif 000007
【図６】
2006074181.tif 000008